(57)【要約】【課題】遊技領域の拡張を図りながら遊技機の前面枠の意匠性を確保しつつ前面枠の強度を高めることができるところの遊技機を提供すること。【解決手段】遊技機の前面枠のベース部材が、前記窓部に対応した開口と、遊技機本体側に枢着される軸部とを備え、少なくとも回動軸芯の無い側の側部が、前記開口と側方縁部との距離が最も小さくなる細幅部と、該細幅部から上方及び下方に繋がる部位であり、前記開口と側方縁部との距離が前記細幅部よりも大きな広幅部とを有し、前記側部に発光部を設け、光透過性の中間ケース部材が、前記発光部を覆い、前記ベース部材のうち前記細幅部からその上下の前記広幅部までを覆うようにして取り付けてある。【選択図】      図２０
2007282802.tif 000002
【特許請求の範囲】
【請求項１】
内枠に設けた遊技盤の遊技領域を覆うように、前記内枠に対して、正面視で一方の側部を回動軸芯として開閉自在な前面枠が設けられ、該前面枠に前記遊技領域を視認する窓部が設けられてある遊技機において、
前記前面枠を構成するベース部材が、
前記窓部に対応した開口と、遊技機本体側に枢着される軸部と、を備えるとともに、少なくとも回動軸芯の無い側の側部が、前記開口と側方縁部との距離が最も小さくなる細幅部と、該細幅部から上方及び下方に繋がる部位であり、前記開口と側方縁部との距離が前記細幅部よりも大きな広幅部と、を有するように構成され、
前記側部に発光部を設け、
光透過性の中間ケース部材が、前記発光部を覆い、前記ベース部材のうち前記細幅部からその上下の前記広幅部までを覆うようにして取り付けてある、
ことを特徴とする遊技機。
【発明の詳細な説明】
【技術分野】
【０００１】
本発明は、パチンコ機やスロットマシンに代表される遊技機に関するものである。
【背景技術】
【０００２】
昨今の遊技機は、それ自体の大きさ（正面視外形寸法）が制限されている中で、趣向性を高めるために遊技領域に配置される表示装置（大画面の液晶表示装置、電動役物ユニット等）や装飾部材などが大型化してきているが、同時に遊技領域の大きさを確保して誘導釘が植設される領域も十分に確保するために遊技領域自体についても限界まで大型化される傾向にある。
【０００３】
こうした遊技機の前面には、矩形状の前面枠が設けられており、この前面枠には遊技領域を視認する例えば略円形の窓部が貫設されている。上述した如き液晶表示装置等の大型化に伴うこの遊技領域の大型化によって、前面枠の窓部も大型化し、それに伴って窓部と前面枠の外側縁部との距離が近づくようになり、前面枠が窓部の両側部において顕著に薄枠化することとなって、前面枠の強度が低下するという事態が発生している。
【０００４】
特に、上述したように、前面枠の左右は、正面視で細幅となって弱くなっており、殊に、前面枠の回動軸心が位置する正面視で左側部は、遊技店に設置した状態で前面枠の開閉範囲について、又は遊技機の横に隣接して配置される現金サンドからの供給路の確保について考慮すると、厚みを持たせることが困難であり、このような状況であっても十分な補強対策を講じなければ、ＬＥＤ基板などの部材の破損、或いは隙間からピアノ線などを差し込み、遊技領域を改変させる不正行為を生じさせる可能性も高くなる。
【０００５】
このような構成の遊技機については、例えば、次の文献を挙げることができる。
【特許文献１】特開２００３−１０２９３７号公報。
【発明の開示】
【発明が解決しようとする課題】
【０００６】
しかし、上述した前面枠は、遊技機の外面を形成するところであるので、前面を飾る演出装置等の所定の大きさを確保することで意匠性は保持しておかなければならないところであり、遊技機自体の原寸法が規定されている中で、表示装置や装飾部材の大型化を容認し、遊技領域の拡張を許容しつつ、前面枠の左右の細幅化に伴う強度低下を防止することが求められる。
【０００７】
本発明は、かかる問題点に鑑みて案出されたものであり、遊技領域の拡張を図りながら遊技機の前面枠の意匠性を確保しつつ前面枠の強度を高めることができるところの遊技機を提供することを目的とする。
【課題を解決するための手段】
【０００８】
本発明において、次の語彙を明らかにしておく。
ベース部材とは、前面枠を構成する要素であって、遊技領域を視認するための開口を形成するものである。そして、広義においては、基板ベースを含むものである。
そして、ベース部材に設ける発光部とは、ＬＥＤ、ランプ、ＥＬ等、既存の発光部を含むものである。
光透過性の中間ケース状部材とは、合成樹脂成型で、光を略完全透過又は半透過させるところの部材で、ケース状、即ち、立体構造物となっており、前面枠の窓部の左右上下方向略中間位置を占めるが、その上端部は、実施例のように、前面枠の上端にまで達する場合もある。
【０００９】
本発明にかかる遊技機は、上記目的を達成するために、手段１として、内枠に設けた遊技盤の遊技領域を覆うように、前記内枠に対して、正面視で一方の側部を回動軸芯として開閉自在な前面枠が設けられ、該前面枠に前記遊技領域を視認する窓部が設けられてある遊技機において、
前記前面枠を構成するベース部材が、
前記窓部に対応した開口と、遊技機本体側に枢着される軸部と、を備えるとともに、少なくとも回動軸芯の無い側の側部が、前記開口と側方縁部との距離が最も小さくなる細幅部と、該細幅部から上方及び下方に繋がる部位であり、前記開口と側方縁部との距離が前記細幅部よりも大きな広幅部と、を有するように構成され、
前記側部に発光部を設け、
光透過性の中間ケース部材が、前記発光部を覆い、前記ベース部材のうち前記細幅部からその上下の前記広幅部までを覆うようにして取り付けてある、
ことを特徴とする。
【００１０】
このように前面枠を構成するベース部材が、前記窓部に対応した開口と、遊技機本体側に枢着される軸部と、を備えるとともに、少なくとも回動軸芯のある側の側部が、前記開口と側方縁部との距離が最も小さくなる細幅部と、該細幅部から上方及び下方に繋がる部位であり、前記開口と側方縁部との距離が前記細幅部よりも大きな広幅部と、を有するように構成されることで、規定された遊技機自体のサイズの中で、大型化する表示装置の設置と、十分な遊技領域の確保を図りながら、そのベース部材の側部に発光部を設けて前面枠としての意匠性を発現できると共にこの発光部を覆う光透過性の部材を、中間ケース状部材とすることで、そのモノコック状立体構造物としての大きな強度が発揮できることで、細化された前面枠の少なくとも左側の上下方向の略中間部近傍の強化を図ることができたのである。
【００１１】
手段２：手段１の遊技機において、
前記中間ケース状部材を、横断面視において、上下の方向に峰が走る山形状に構成してあることを特徴とする。
このように、中間ケース状部材を、横断面視において、上下の方向に峰が走り、頂部が前面側に突出する山形状に構成することで、この前後方向に立体化した構造物によって、特に、前面枠の前記細幅部での前方方向への折れ曲がり強度を大幅にアップすることができる。
【００１２】
手段３：手段１乃至手段２の遊技機において、
前記中間ケース状部材が、前記前面枠を構成するベース部材のベース部材左右側部において、前記細幅部から、ベース部材の上下コーナー部分まで延出されて取り付けられていることを特徴とする。
このように、前面枠を構成するベース部材のベース部材左右側部において、中間ケース状部材がベース部材の上下コーナー部分まで延出されて取り付けられていることで、中間ケース状部材とベース部材とが略全長に亘って一体化されることになり、両者が一体化することによる強度アップが期待できる。
【００１３】
手段４：手段２又は手段３の遊技機において、
前記中間ケース状部材が、前記山形状の頂部近傍から延設したボスによりベース部材にネジでもって連結されていることを特徴とする。
このように、ボスを山形状の頂部近傍から延設することで、この山形状の中間ケース状部材の強度を増加させることができる。
【００１４】
手段５：手段１乃至手段４の遊技機において、
前記発光部の基板ベースの開口部側縁部が、ベース部材開口部側縁部よりも開口の内側にまで入り込むように構成され、且つ、前記中間ケース状部材のベース部材開口部側縁部が、前記基板ベースの開口側端面を覆うように開口の内側にまで入り込み、前記窓部の開口の内周縁の一部を形成するように構成されていることを特徴とする。
このように、開口の内周縁の一部が、ベース部材でなく、中間ケース状部材の一部でもって形成されることで、発光部の基板ベースの開口端面を覆い隠して前面枠の窓部をスッキリとさせて、意匠観を向上させることができる。
【００１５】
手段６：手段１乃至手段５の遊技機において、
前記前面枠のベース部材の開口の上下部を覆う上側及び下側ケース状部材が設けられ、前記中間ケース状部材の上下端部が、前記上側及び下側ケース状部材に重なるようにしてベース部材に固定されていることを特徴とする。
このように、中間ケース状部材を上側及び下側ケース状部材の上に重ねる構成によって、この中間ケース状部材を上側及び下側ケース状部材に連続させたものとし、前面枠全体としての意匠観を自在に設定することができる。
【００１６】
手段７：手段６の遊技機において、
前記中間ケース状部材の上下端部の一部が、前記上側及び下側ケース状部材の上から重なるように構成されていることを特徴とする。
このように、中間ケース状部材の上下端部の一部を、上側及び下側ケース状部材の上に重ねるようにした構成によって、この中間ケース状部材を単独で前方に着脱することができ、この中間ケース状部材により覆われたベース部材の発光部に対してメンテナンスを行い易いという利点がある。
特に、細化された中間ケース状部材の位置するベース部は、前面枠開閉等に際しての応力集中が生じて撓み易く、そこに設けた発光部のトラブルが生じ易いので、こうしたメンテナンスの容易性は有利である。
【００１７】
手段８：手段７の遊技機において、
前記中間ケース状部材の上端部の前記上側ケース状部材の上に重なる部分において、前記中間ケース状部材から少なくとも一つのボスが延設され、該ボスが、前記上側ケース状部材を貫通して上側ケース状部材のベース部材上側部にまで延び、該ベース部材上側部にネジ止めされていることを特徴とする。
このように、中間ケース状部材を、そのボスを介してベース部材左右側部に取り付ける際に、上側ケース状部材を挟み込む状態で連結を行うことができて、三者の一体化を強力なものとすることができる。
【００１８】
手段９：手段２の遊技機において、
山形状に構成された前記中間ケース状部材は、複数の山が遊技機の上下の方向に僅かに位相をずらせた状態で重なり、外面に凹凸が形成されるように構成してあることを特徴とする。
このように、中間ケース状部材を、複数の山が遊技機の上下の方向に僅かに位相をずらせた状態で重なり、外面に凹凸が形成されるように構成してあることで、前述した前後方向に立体化した構造物であることと、この重複した山形の凹凸構造によって、平滑の一枚板のケース状体に比べて、遥に強度を向上させることができ、以って、遊技領域拡大に伴い細化した左右のベース部材を十分に補強することができる。
【発明の効果】
【００１９】
本発明によれば、前面枠を構成するベース部材が、前記窓部に対応した開口と、遊技機本体側に枢着される軸部と、を備えるとともに、少なくとも回動軸芯のある側の側部が、前記開口と側方縁部との距離が最も小さくなる細幅部と、該細幅部から上方及び下方に繋がる部位であり、前記開口と側方縁部との距離が前記細幅部よりも大きな広幅部と、を有するように構成され、該ベース部材左側部に発光部を設け、該発光部を覆うように光透過性の中間ケース状部材を取り付けてあることによって、表示装置等の大型化に伴う遊技領域の拡張を図りながら遊技機の前面枠の意匠性を確保しつつ前面枠の強度を高めることができるところの遊技機を提供することができた。
【発明を実施するための最良の形態】
【００２０】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００２１】
（パチンコ機の正面構成）
図１は本実施形態のパチンコ機１０の正面図であり、図２は、パチンコ機１０の左側面図であり、図３は、その平面図である。図４は、外枠１１に対して内枠１２と前面枠（セット）１４と、セット板４００を開放した状態を示す斜視図である。（但し、図４では便宜上、遊技盤３０面上の遊技領城内の構成〔釘、センター役物等〕を空白で示しているが、アウト口３６は描いてある）。
【００２２】
図１乃至図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００２３】
内枠１２の構成を、図５及び図６を用いて詳細に説明する。図５は、パチンコ機１０の外枠１１から前面枠１４及び遊技盤３０を取り外した状態を示す背面図であり、図６は、その背面からの斜視図である。この内枠１２は、大別すると、その最下部に取り付けられた下皿ユニット１３（図１、図２参照）と、この下皿ユニット１３よりも上側の範囲で内枠１２の左側の上下方向の開閉軸線を軸心にして開閉自在に取り付けられた前面枠１４と、後述する樹脂ベース２０と、この樹脂ベース２０の後側に取り付けられる遊技盤３０（図４参照）とを備えている。
【００２４】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００２５】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。
音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように、その右側が下皿１５に片待ち支持されている。
【００２６】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００２７】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２Ｂ内に嵌まり込むようにして取り付けられている。
つまり、この前面枠１４の側面の少なくとも一部が内枠１２の外側壁（リブ）１２Ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００２８】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００２９】
図４乃至図６に示すように、内枠１２は、外形が矩形状の樹脂ベース２０を主体に構成されており、樹脂ベース２０の中央部には略円形状の窓孔２１が形成されている。
そして、樹脂ベース２０の後側には、図４及び図７に示す遊技盤３０が着脱可能に装着されている。図７に示すように、遊技盤３０は四角形状の合板よりなり、その周縁部が樹脂ベース２０（内枠１２）の裏側に当接した状態で取着されている。
【００３０】
従って、遊技盤３０の前面部の略中央部分が樹脂ベース２０の窓孔２１を通じて内枠１２の前面側に露出した状態となっている（図４では遊技盤３０のアウト口３６が示されている）。そして、図７に示すように、ここでは、遊技盤３０の前記内枠１２の外枠１１に対する枢着部（パチンコ機１０の正面からみて左側に上下に延びる開閉軸線を軸心にした枢着）に近いコーナー（隅）が、略三角形状に角落ち（切り欠き）７２０されている。
【００３１】
次に、図７を用いて遊技盤３０の構成を説明する。図７は遊技盤３０の構成を示す正面図である。遊技盤３０の左右やや下方位置には、２組一対の一般入賞口３１、３１が階段状に位置され、中央下方には、始動口３３が配置され、此れらに対応した入球検出センサが、遊技盤３０の背面に設けられており、これらのセンサは、図示しない電気配線を通じて後述する主制御基板（主制御装置）に接続されている。
そして、この一般入賞口３１、３１及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００３２】
尚、上記入賞感知センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００３３】
また、遊技盤３０の中央には液晶パネルを用いた装飾図柄表示装置４２が配置されており、その左右横側部には、スルーゲート３４，３４が配置されている。これらのスルーゲートは、遊技球の通過によって、後述の始動口３３の羽根物を開閉作動させる。
その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００３４】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００３５】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００３６】
内レール５１の先端部分（図７の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図７の右上部：外レール５２の先端部に相当する部位）に返しゴム５４が取着されている。従って、所定以上の勢いで発射された遊技球は、返しゴム５４に当たって跳ね返さわるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００３７】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００３８】
本実施形態では、レールユニット５０の少なくとも左側を遊技盤３０に強固に締結するために、レールユニット５０の左側はその右側よりも多いネジで遊技盤３０に締結されているので、レールユニット５０の左側についての遊技盤３０への密着性を上げることかでき、遊技球の球飛びを良くすることができる。レールユニット５０の左側が遊技盤３０に対してぐらついているとこのレールユニット５０に出射された遊技球の勢いが当該ぐらつきにより吸収されてしまうからである。
【００３９】
さらに本実施形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域の拡張が図られるようになっている。
【００４０】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図７のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図７のＳ１，Ｓ２）を貼着することで、遊技盤３０と証紙との一義性を持たせることができる。
【００４１】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００４２】
前記樹脂ベース２０において、窓孔２１（遊技盤３０）の下方には、遊技球発射装置３８より発射された直後に遊技球を案内するための発射レールが取り付けられている。発射レールは、その後方の金属板を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００４３】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００４４】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００４５】
なお、詳しい図面の開示は省略するが、遊技球発射装置３８には、前面枠１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００４６】
図４中の符号６７は上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００４７】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００４８】
図５及び図６に示すように、樹脂ベース２０には、窓孔２１の右下部に略四角形状の小窓７１が設けられている。従って、遊技盤３０の右下隅部に張られた証紙などのシール（図７のＳ１）は、この小窓７１を通じて視認できるようになっている。また、この小窓７１からシール等を貼り付けることも可能となっている。
また、図６に示すように、内枠１２の左端部には、前面枠１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００４９】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パテンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００５０】
ここで、前述した前面枠１４について、図４及び図８乃至図１４を参照しつつより詳細に説明する。
図８は、前面枠１４のベース部材５００と、その前面に取り付けられるケース状部材５３０等を取り外した状態の前面からの斜視図であり、図９は、背面からの斜視図である。図１０は、前面枠１４の背面図であり、図１１は、ケース状部材５３０等を取り外した状態の正面図であり、図１２は、ベース部材５００から、金属製の補強板１３１，１３２，１３３，１３４を取り外した状態の正面からの斜視図であり、図１２は、ベース部材５００に補強板１３１，１３２，１３３，１３４を取り付けた状態の斜視図であり、図１４は、更に、三つに分けられた発行手段５５０を夫々取り外した状態の前面斜視図である。
【００５１】
前面枠１４には前記遊技領域のほとんどを外部から視認することができるよう略楕円形状の窓部１０１が形成されている。詳しくは、ベース部材５００が窓部１０１を形成する開口を備えており、その左右側の略中央部が、上下側に比べて比較的緩やかに湾曲して細化した形状となっている。なお、前記略中央部が直線状になるようにしてもよい。
【００５２】
前面枠１４が閉じられた状態において、外レール５２の左端部はもちろん、内レール５１の左端部も、前記ベース部材５００及びこれを覆うケース状部材５３０（左側部フレーム部分）によって覆い隠される。つまり、誘導レールの少なくとも一部が、パチンコ機１０の正面からみて前面枠１４の左側部フレーム部分と重複し覆い隠される。このように遊技球が一時的に視認困難となったとしても、それは、遊技球が遊技領域に案内される通過点に過ぎず、遊技者が主として遊技を楽しむ遊技領城において遊技球が視認困難となるわけではない。そのため、実際の遊技に際しては何ら支障が生じない。また、このような支障が生じない一方で、前面枠１４の十分な強度および支持強度が確保可能となっている。
【００５３】
加えて、前面枠１４にはその周囲（例えばコーナー部分）に、演出装置７００の一つとして、各種ランプ等の発光部５５０が設けられている。これら発光部５５０は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている（図１参照）。
【００５４】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００５５】
また、図１、図８に示すように、窓部１０１の下方には貸球操作部１２０が配設されており、貸球操作部１２０には球貸しボタン１２１と、返却ボタン１２２と、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。
【００５６】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５７】
また、図１に示すように、前面枠１４の左側を前面側（図１、図８の紙面手前側）に必要以上に突出しないようにしている。こうすることで、パチンコ機１０の左側に設けられたカードサンドの球貸し装置によって直接に上皿１９に遊技球を貸し出す際に、当該球貸し装置のノーズ部（いわゆる象の鼻）の先端排出口を好適に上皿１９の上方位置に位置させることができ、当該球貸し装置のノーズ部から貸し出される遊技球を上皿１９で受けることかできる。
【００５８】
前面枠１４の裏側には、窓部１０１を囲むようにして金属製の各種補強部材が設けられている。詳しくは、図１２示すように、前面枠１４の裏側にあって窓部１０１の上下左右の外側にはそれぞれ補強板１３１，１３２，１３３，１３４が取り付けられている。これら補強板１３１〜１３４は相互に接触して連結されているが、図１３の右側および上側の補強板１３３，１３１の連結部には直接の接触を避けるためのＬ型の樹脂パーツ１３５が介在されている。
【００５９】
このように補強板１３３，１３１の連結部にＬ型の樹脂パーツ１３５を介在させているので、ノイズが補強板１３１〜１３４でループすることを防止できる。また、図８の左側の補強板１３２には、図９に示す如く、その中間位置にフック状をなす係合爪１３０、１３０、１３０が設けられており、この係合爪１３０は、前面枠１４を閉じた状態で内枠１２の孔部に係合されるように構成されている。この構成により、上皿１９を含む形態で前面枠１４が構成され、その上下の軸支位置が延長されたとしても、中間位置における前面枠１４の浮き上がりが防止できる。それ故、前面枠１４を浮かしての不正行為等が抑制されるようになっている。
【００６０】
また、図１２、図１３に示すように、下側の補強板１３４には、前記発射レールに対向する位置に樹脂製のレール側壁部材１３６が設けられている。このレール側壁部材１３６は、前面枠１４を閉じた際に発射レールの側壁となる。故に、発射レールから遊技球がこぼれ落ちないようになっている。
また、前面枠１４の図８の右端部（パチンコ機１０正面から見ると左端部）には、内枠１２の支持機構として、支持金具１５１，１５２が取り付けられている。従って、内枠１２側の支持金具７２７，７２８（図６参照）に対して前面枠１４側の支持金具１５１，１５２を組み付けることで、内枠１２に対して前面枠１４が開閉可能に装着されるようになる。
【００６１】
（パチンコ機の背面構成）
次に、セット板４００を備えたパチンコ機１０の背面の構成を詳しく説明する。図９はパチンコ機１０の背面図であり、図１６は、セット板４００を後方に開いた状態の背面の斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。
【００６２】
本実施形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板と音声ランプ制御基板とを取付台に搭載してユニット化すると共に、払出制御基板、発射制御基板および電源基板は、セット板４００の第２パーツを構成する排出通路盤２１７（図１６参照）にユニット化している。ここでは便宜上、前者のユニットを「第１制御基板ユニット２０１」と称し、後者のユニットを「第２制御基板ユニット２０２」と称することとする。
【００６３】
第１制御基板ユニット２０１、第２制御基板ユニット２０２は、ユニット単位で何ら工具等を用いずに着脱できるよう構成されており、さらにこれに加え、一部に支軸部を設けて内枠１２または遊技盤３０の裏面に対して開閉できる構成となっている。これは、各ユニット２０１〜２０２やその他構成が前後に重ねて配置されても、隠れた構成等を容易に確認することを可能とするための工夫でもある。
【００６４】
遊技盤３０は、樹脂ベース２０に囲まれた四角枠状の設置領域に設置され、図５に示す内枠１２に設けられた複数（本実施形態では５カ所）の係止固定具７０５によって脱落しないように固定されている。係止固定具７０５は手動で回動でき、固定位置（ロック位置）と固定解除位置（アンロック位置）とを切り換えることができるように遊技盤３０の左右４ヵ所の係止固定具は金属片を折り曲げ形成したＬ型の金具であり、遊技盤３０の固定状態で内枠外方へ張り出さないよう構成されている。なお、遊技盤３０の下部１カ所の係止固定具７０６は樹脂製のＩ型の留め具である。
【００６５】
図７にも示すように、遊技盤３０の中央には液晶の装飾図柄表示装置４２が配置されている一方、その下側には始動口３３が配置されている。遊技盤３０の裏面には、装飾図柄表示装置４２を取り囲むようにして、遊技球回収機構を備えた裏枠セット（図示せず）が取り付けられている。また、図１６に示すように、遊技盤３０の下方には、内枠１２に樹脂製（例えばポリカーボネート樹脂製）の排出通路盤２１７が取り付けられており、該排出通路盤２１７には、排出球をパチンコ機１０外部へ案内するための排出通路２１８が形成されている。
【００６６】
従って、図７に示す一般入賞口３１、始動口３３に入賞した遊技球は何れも前記裏枠セットの回収通路を介して集合し、さらに排出通路盤２１７の排出通路２１８を介してパチンコ機１０外部に排出される。なお、アウト口３６（図７参照）も同様に排出通路２１８に通じており、何れの入賞口にも入賞しなかった遊技球も排出通路２１８を介してパチンコ機１０外部に排出される。
【００６７】
また、内枠１２の裏面には、図４及び図１６に示されているように、第２制御基板ユニット２０２やセット板４００を取り付けるための取付機構が設けられている。具体的には、内枠１２にはその右端部に長尺状の支持金具２３５が取り付けられており、その構成を図１７に示す。図１７に示すように、支持金具２３５は長尺板状の金具本体２３６を有し、その金具本体２３６より起立させるようにして、下方２カ所に第２制御基板ユニット用の支持孔部２３７が形成されると共に、上下方２ヵ所にセット板用の支持孔部２３７，２３８が形成されている。
【００６８】
それら支持孔部２３７，２３８にはそれぞれ上下の方向で同軸心状の支持孔が形成されている。そして、セット板４００には、その右端部に上下一対の縦軸心の支軸が設けられており、この支軸を図１７に示す支持孔部２３７，２３８に上方から挿通させることで、セット板４００が内枠１２に対して開閉可能に支持される。
【００６９】
その他、図１５に示すように、内枠１２の背面構成において、遊技盤３０の右下部には、後述する払出機構部３５２より払い出される遊技球を上皿１９、下皿１５、または排出通路２１８の何れかに振り分けるための遊技球分配部２４５(図５、図６参照)が設けられている。即ち、遊技球分配部２４５の開口部２４５Ａは上皿１９に通じ、開口部２４５Ｂは下皿１５に通じ、開口部２４５Ｃは排出通路２１８に通じる構成となっている。
図８に示すように、遊技球分配部２４５は、前記セット板４００にネジで締結固定されており、パチンコ機１０の上皿１９の排出口６７（図4参照）から異物を挿入操作するなどしても動かない、つまり遊技球分配部２４５が奥側に押されて遊技球分配部２４５と内枠１２との間に隙間が空くようなことが無いし、この隙間に異物を押入するなどによる不正を防止できる。
【００７０】
次に、第１制御基板ユニット２０１を、図1５、図1６、図１８及び図１９を用いて説明する。図１５は第１制御基板ユニット２０１の正面図（パチンコ機の裏面から見た背面図）、図１６、図１８は、同ユニット２０１の背面斜視図、図１９は、分解斜視図である。
【００７１】
第１制御基板ユニット２０１は、略Ｌ字状をなす取付台２５１を有し、この取付台２５１に主制御装置２６１と音声ランプ制御装置２６２とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる基板ケース２６３に収容された構成とされる。
【００７２】
また、音声ランプ制御装置２６２は、例えば主制御装置２６１（主制御基板）または図示しない表示制御装置からの指示に従い音声やランプ表示の制御を司るＣＰＵや、その他ＲＯＭ、ＲＡＭ、各種ポート等を含む音声ランプ制御基板を具備しており、この音声ランプ制御基板が透明樹脂材料等よりなる基板ケース２６５に収容されて構成されている。音声ランプ制御装置２６２上には電源中継基板２６６が搭載されており、後述する電源基板より供給される電源がこの電源中継基板２６６を介して前記表示制御装置および音声ランプ制御装置２６２に出力されるようになっている。
【００７３】
取付台２５１は、有色（例えば緑、青等）の樹脂材料（例えばポリカーボネート樹脂製）にて成形され、その表面に平坦状をなす２つの基板搭載面２５２、２５３が設けられている。これら基板搭載面２５２、２５３は直交する向きに延び、前後方向に段差をもって形成されている。但し、取付台２５１は無色透明または半透明の樹脂成型品であっても良い。
【００７４】
そして、一方の基板搭載面上に主制御装置２６１（主制御基板）が横長の向きに配置されると共に、他方の基板搭載面上に音声ランプ制御装置２６２（音声ランプ制御基板）が縦長の向きに配置されるようになっている。特に、主制御装置２６１は、パチンコ機１０裏面から見て手前側に配置され、音声ランプ制御装置２６２はその奥側に配置される。この場合、基板搭載面が前後方向に段差をもって形成されているため、これら基板搭載面に主制御装置２６１および音声ランプ制御装置２６２を搭載した状態において各制御装置２６１，２６２はその一部を前後に重ねて配置されるようになる。
【００７５】
つまり、図１９等にも見られるように、主制御装置２６１はその一部（本実施の形態では１／３程度）が浮いた状態で配置されるようになる。故に、主制御装置２６１に重なる領域まで音声ランプ制御装置２６２を拡張することが可能となり、当該制御基板の大型化にも良好に対処できる。また、各制御装置が効率良く設置できるようになる。また、第１制御基板ユニット２０１を遊技盤３０に装着した状態では、基板搭載面の後方にスペースが確保され、装飾図柄表示装置４２やその電気配線等が無理なく設置できるようになっている。
【００７６】
主制御基板用の基板搭載面２５２には、左右２ヵ所に横長形状の貫通孔２５４が形成されている。これに対応して、主制御装置２６１の基板ケース２６３には、その裏面の左右２ヵ所に回動式の固定具が設けられている。主制御装置２６１を基板搭載面２５３に搭載する際には、基板搭載面２５２の貫通孔２５４に固定具が通され、その状態で固定具が回動されて主制御装置２６１がロックされる。
【００７７】
従って、上述の通り主制御装置２６１はその一部が浮いた状態で配置されるとしても、当該主制御装置２６１の脱落等の不都合が回避できる。また、主制御装置２６１は、セット板４００を開き、第１制御基板ユニット２０１を、軸線を軸心として開いた後に、この第１制御基板ユニット２０１の裏面側から固定具をロック解除しなければ、取り外しできないため、基板取り外し等の不正行為に対して抑止効果が期待できる主制御基板用の基板搭載面２５２にはその裏面に格子状のリブが設けられている。
【００７８】
取付台２５１には、左端面に上下一対の支軸２５６が設けられており、この支軸２５６を支持金具に取り付けることで、第１制御基板ユニット２０１が遊技盤３０に対して開閉可能に支持される。また、取付台２５１には、右端部に締結具として上下一対のナイラッチ２５７が設けられると共に上端部に長孔２５８が設けられており、ナイラッチ２５７を被締結孔にはめ込むこと等により、第１制御基板ユニット２０１が遊技盤３０に固定されるようになる。
【００７９】
第２制御基板ユニット２０２は、図１６及び図１８に示すように、セット板４００を構成する排出通路盤２１７でもってユニット化されているが、これには、図１５に示す払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【００８０】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１及び図８参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００８１】
上記払出制御装置３１１、発射制御装置３１２、電源制御装置３１３およびカードユニット接続基板３１４は、透明樹脂材料等よりなる基板ケース３１５，３１６，３１７(図１８)，３１８にそれぞれ収容された構成とされる。
【００８２】
図１５に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００８３】
上記のように、この遊技機１０は、島設備に固定される外枠１１に対して合成樹脂成型の内枠１２を縦軸心周りに回動自在に枢着し、この内枠１２に対して木製の遊技盤３０を裏側から固定し、更に、前記内枠１２に対し、前記内枠１２の前面側において前面枠１４を縦軸心周りに回動自在に枢着し、また、前記内枠１２に対し、後面側においてセット板４００を縦軸心周りに回動自在に枢着し、前記前面枠１４には演出装置７００（ランプ等）が設けられ、前記遊技盤３０の裏面には前記演出装置７００を制御する制御基板である音声ランプ制御装置２６２（音声ランプ制御基板）が備えられている。
【００８４】
そして、上記した通り、また、前記内枠１２の外枠１１に対する枢着部７２５に近い前記遊技盤３０のコーナーが、図７に示すように、略三角形状（遊技盤の中心側は円弧状）に角落ち７２０されている。前記枢着部７２５は、図２及び図４に示すように、外枠１1に固定のブラケット７２６（上端部）、７２７（下端部）に、内枠１２に固定の取り付け金具７２７（上端）、７２８（下端）を枢着することで構成されている。
図５および図６に示す通り、この遊技盤３０のコーナーの角落ち７２０に伴い、前記内枠１２を、角落ちされた遊技盤３０の切り欠き空間に延出して取り付け部７４０を構成している。勿論、この取り付け部７４０は、内枠１２が樹脂成型されるときに形成される。
【００８５】
ここで、上述したエラー状態などの状態報知について図１及び図１５に基づいて述べる。
［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、図１５に示すモニターＬＥＤ８１１が消灯し、状態表示８１２が「１」を点滅表示する。
【００８６】
（下受け皿満タン）
下受け皿満タンの報知は、図１に示す右コーナーＬＥＤ８１３が点灯し、図１５に示すモニターＬＥＤ８１１が消灯する。そして、状態表示８１２が「２」を点滅表示する。
【００８７】
（払出ユニット異常）
払出モーター駆動中にも関わらず払出カウントスイッチに遊技球の通過がない状態を示すもので、右コーナーＬＥＤ８１０が点灯し、モニターＬＥＤ８１１が消灯し、状態表示８１２が、「３」を点滅表示する。
【００８８】
［電源に関するエラー報知］
（ヒューズ切れ１及びヒューズ切れ２）
ヒューズ切れ１は、図１５に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【００８９】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、図１５に示すモニターＬＥＤ８１６及びモニターＬＥＤ８１７が消灯する。そして、遊技球等貸出装置通信異常は、前記状態表示８１２が「Ｕ」を点滅表示する。
また、コマンド異常は、ハーネスの破損等によるコマンド不良を示すもので、前記状態表示８１２が「Ｃ」を点滅表示する（電源投入時にコマンド異常になった場合は点灯表示）。更に、コネクタ未接続は、モニターＬＥＤ８１８が消灯する（ただし、発射動作中は点滅する）。
尚、図１５において、８１９は、遊技機電源コードを示し、８２０は、電源スイッチを示し、８２１は、外部接続アース線を示す。
【００９０】
（特徴構成）
本発明においては、図１乃至図７に基づいて前述した通り、内枠１２に設けた遊技盤３０の遊技領域に少なくとも表示装置（装飾図柄表示装置４２）が設けられ、該遊技領域を覆うように、前記内枠１２に対して、正面視で左側部を回動軸芯として開閉自在な前面枠１４が設けられ、該前面枠１４に前記遊技領域を視認する開口５０１が設けられてある遊技機を対象としている。
開口の右側にあたる部位は、前面枠の軸とは反対側であるため、外力に対して弱くなり易い部位であり、剛性を高めるべく後述する種々の対策を施している。
一方、開口の左側にあたる部位は、遊技島に設置された状態を考慮すると開口の右側よりも薄型の形状にせざるを得ない。このため剛性を高めることが難しいが、右側の中間ケース部材と同等に補強対策を施すことにより剛性確保することができる。
そして、ベース部材の開口（窓部の開口）は、円形、楕円形のもの以外に多角形その他の形状のものも考えられる（これらの場合にも左右が細幅化することは変わらない）ため、開口形状に応じて細幅部の位置がそれぞれ設定されるものである。
【００９１】
そして、図８乃至図１４に示すように、前記前面枠１４を構成するベース部材５００のベース部材左右側部５００Ａ、５００Ｂにおいて、遊技領域の拡張を最大限とすることができるように、前記前面枠１４を構成するベース部材５００が、前記窓部１０１に対応した開口と、遊技機本体側に枢着される軸部と、を備えるとともに、回動軸芯のある側の側部５００Ａ、５００Ｂが、前記開口と側方縁部との距離が最も小さくなる細幅部と、該細幅部から上方及び下方に繋がる部位であり、前記開口と側方縁部との距離が前記細幅部よりも大きな広幅部と、を有するように構成されており、前記側部５００Ａ、５００Ｂに発光部５５０、５５０を設け、該発光部５５０、５５０を、光透過性の中間ケース部材５３０、５３０が、前記ベース部材５００のうち前記細幅部からその上下の前記広幅部までを覆うようにして、また、正面視でベース部材５００が見えない状態で、光透過性の左右の中間ケース状部材５３０、５３０を夫々ネジ止めで取り付けたものである。
前記中間ケース状部材５３０、５３０は、この実施例では、合成樹脂性で、約３ｍｍの肉厚のものとして構成されている。
【００９２】
図８は、ベース部材５００に対して、演出装置７００となる上側及び下側ケース状部材５３４、５３５、左右の中間ケース状部材５３０、５３０及び下皿ユニット１３等が一体となったものが取り外された状態が示されている。前記ベース部材５００側には、上述した発光部５００、即ち、上部、左右の発光部５５０Ａ、５５０Ｂ，５５０Ｃが設けられており、これらを覆う状態で前記一体ものが装着される。
【００９３】
図８において、前記ベース部材５００の左右上部に開口されているのは、ここに配置されるスピーカの音出力口２４である。６７は、上皿１９に通じる遊技球の排出口であり、前記ベース部材５００を貫通すると共に上皿１９の左側部に開口されている。
更に、図８、図９図１０に示すように、ベース部材５００の正面視左側部に、上下の方向で略等間隔で配置されたフック状をなす係合爪１３０，１３０，１３０が設けられ、これらは、前面枠１４を閉じた状態で内枠１２の孔部に係合されるものである。
【００９４】
図９は、ベース部材５００の背面側からの斜視図であり、図１０は、その背面図であって、図１１はその正面図である。図９及び図１０には、上述したフック状をなす係合爪１３０，１３０，１３０が示されていると共に排出口６７が示され、後に言及する如く、ベース部材左右側部５００Ａ、５００Ｂの内周縁部を前面視で覆うように、左右の発光部５５０Ｂ、５５０Ｃの基板ベース５５２，５５３の内周縁部５５２Ａ、５５３Ａが開口５０１側に入り込むように構成されている。
そして、この入り込んだ基板ベース５５２，５５３の内周縁部５５２Ａ、５５３Ａの更に内周に、後述する左右の中間ケース状部材５３０、５３０の開口５０１側の外側縁部５３０Ｅが接当し、開口５０１の内周縁の一部を形成するように構成されている。
【００９５】
図１２は、ベース部材５００に対して、金属製の上部の補強板１３１、左右の補強板１３２、１３３及び下方の補強板１３４が分離されて描かれており、これらはネジ止めで取り付けられる。
同図において、５００Ａ、５００Ｂは、ベース部材左右側部を示し、２４は、音出力口を示す。
【００９６】
図１３は、前記ベース部材５００の前面図であって、図１２におけるベース部材５００に対する金属製の上部の補強板１３１、左右の補強板１３２、１３３及び下方の補強板１３４が取り付けられた状態が描かれており、これらはネジ止めで取り付けられる。
更に、合成樹脂素材のＬ型の樹脂パーツ１３５が、前記上部の補強板１３１、右側の補強板１３３の上部の突合せ位置において、両者に跨って連結固定され状態を示している。
【００９７】
同図において、１３９は、前記樹脂パーツ１３５とは反対側の上部コーナーにおいて取り付けられるブラケットであり、１４０はそのブラケットに取り付けられる枢支軸５４１の取り付け金具であって、前記ブラケット１３９にネジ止めされる。１４１は、前面枠１４の軸支用ブラケットである。２４、２４は、上記ベース部材５００の上部左右コーナー近傍に設けた音出力口である。
【００９８】
図１４は、前面枠１４に対する発光部５５０の組み付け状態を示すもので、上側の発光部５５０Ａ、左右の発光部５５０Ｂ、５５０Ｃが、夫々ベース部材５００の前面側に取り付けられる。これらの上部の発光部５５０Ａ、左右の発光部５５０Ｂ、５５０Ｃには、夫々複数のＬＥＤが設けられており、それぞれを覆う透過性の上側ケース状部材５３４、左右の中間ケース状部材５３０、５３０を通して発光し、演出装置７００の一機能を発揮している。
尚、これらの上側の発光部５５０Ａ、左右の発光部５５０Ｂ、５５０Ｃには、上述したエラーの表示のための発光ＬＥＤも含まれている。
【００９９】
図１４は、前面枠１４のベース部材５００に対して発光部５５０を取り付ける状態を示しているが、上部の発光部５５０Ａ、左右の発光部５５０Ｂ、５５０Ｃは、何れも基板ベース５５１、５５２，５５３に対して発光基板５５４，５５５，５５６をネジ止めしているものであり、前記基板ベース５５１、５５２，５５３は、ベース部材５００に取り付けられた金属製の上部の補強板１３１、左右の補強板１３２，１３３に夫々ネジ止めされている。
そして、正面視において、右側の発光部５５０Ｃは、左側の発光部５５０Ｂよりも上下に長く構成されており、その下端には、玉貸操作部１２０等に繋がる中継コネクタ５５７及びコードが接続され、その後に前面枠１４の裏面下方からコード及びコネクタが後方に延出されている。他方の発光部５５０Ｂは、上部の発光部５５０Ａに繋がり、スピーカなどの配線と共に前面枠１４の裏面上方からコード及びコネクタが延出されている。
【０１００】
図１５は、遊技機の裏面を示す背面図であって、既に言及してきたように、エラー表示のための手段を含めた遊技機の各構成要素について、番号を付している。
図１６は、遊技機の背面において、セット板４００を開いた状態を示すものであり、セット板４００を開いた状態の内枠１２の背面に配置された各構成要素、セット板４００の前面側の構成要素、例えば、排出通路盤２１７等を示す。また、図１７は、既に言及してきた長尺状の支持金具を示すものである。
そして、図１８についても、既に言及してきたように、遊技機の裏面から見た斜視図であって、既に言及してきたように、セット板４００を開いた状態、及び中枠１２及び前面枠１４を外枠１１から開いた状態で示すものであり、図１９は、第１制御基板ユニット２０１の分解斜視図であって、各構成要素を示すものである。
【０１０１】
上述したベース部材５００及び左右の中間ケース状部材５３０、５３０について、更に、図２０乃至図２２を付加して詳述する。
図２０は、前面枠１４の前面に取り付けられる演出装置７００を構成する上側及び下側ケース状部材５３４、５３５、及び正面視で左側の中間ケース状部材５３０が組み付けられた状態で、右側の中間ケース状部材５３０を分離した状態の斜視図である。
【０１０２】
同図において、１５は下皿を示し、１８は、発射ハンドル、１９は上皿を示し、２２は、灰皿である。そして、１０１は窓部であり、１０３は中央電飾部を示し、１０７は小窓であり、１２０は玉貸操作部を示し、１２１は球貸しボタン１２１で、１２２は返却ボタンを示すものである。
図２１は、前記右側の中間ケース状部材５３０の背面図、つまり、遊技機の後方から見た正面図である。また、図２２は、前記右側の中間ケース状部材５３０の背面側から見た斜視図である。
【０１０３】
前記中間ケース状部材５３０、５３０は、合成樹脂の薄肉の成型品であり、特に、図８、図２０乃至図２２に示すとおり、横断面視において、上下の方向に峰が走る山形状に構成してあり、より具体的には、正面視では巻き貝のように渦巻き状乃至撚り縄状を呈する意匠とされている。このように、中間ケース状部材５３０、５３０を、横断面視において、上下の方向に峰が走り、頂部が前面側に突出する山形状に構成することで、この前後方向に立体化した構造によって、特に、前面枠１４の上下方向略中間部での前方方向への折れ曲がり強度を大幅にアップすることができる。
【０１０４】
そして、前記中間ケース状部材５３０、５３０が、前記前面枠１４を構成するベース部材５００のベース部材左右側部５００Ａ、５００Ｂにおいて、図８に示すごとく、その上下方向の略中間部近傍から、ベース部材５００の上下コーナー部分５００Ｃ、５００Ｄまで延出されて取り付けられている。
【０１０５】
このように、前面枠１４を構成するベース部材５００のベース部材左右側部５００Ａ、５００Ｂにおいて、左右の中間ケース状部材５３０、５３０がベース部材の上下コーナー部分まで延出されて取り付けられていることで、中間ケース状部材５３０、５３０とベース部材５００とが略全長に亘って一体化されることになり、両者が一体化することによる強度アップが期待できるのである。
【０１０６】
また、前記中間ケース状部材５３０、５３０は、図２１、図２２（正面視右側に位置する部材５３０）に示すように、前記山形状の頂部５３１，５３１近傍から延設した２本のボス５３２、５３２によりベース部材５００にネジでもって連結されている。このように、ボス５３２、５３２を山形状の頂部５３１，５３１近傍から、その基底部まで延設することで、この山形状の中間ケース状部材５３０、５３０の強度を増加させることができる。
つまり、前記ボス５３２、５３２がベース部材５００側にネジ止めされたときに、ベース部材５００に対して柱の役目を果たし、薄肉のケース状の山形状の中間ケース状部材５３０、５３０の剛性を高めるのである。
【０１０７】
更に、山形状に構成された前記中間ケース状部材５３０、５３０は、複数の山（ここでは５つの山）が遊技機の上下の方向に僅かに位相をずらせた状態で重なり、外面に凹凸が形成されるように構成してある。この五山は、側面視で見た場合、下方の山が最も手前に位置し、上方に位置する山がその背後に位置するように見える(ただし、側面視で各山の上側稜線は手前側で同一線上に並ぶ)。この形状は側面視で縄を撚った状態に見える。
【０１０８】
このように、中間ケース状部材５３０、５３０を、複数の山が遊技機の上下の方向に僅かに位相をずらせた状態で重なり、外面に凹凸が形成されるように構成してあることで、前述した前後方向に立体化した構造物であることと、この重複した山形の凹凸構造によって、平滑の一枚板のケース状体に比べて、遥に強度を向上させることができ、以って、遊技領域拡大に伴い細化した左右のベース部材５００を十分に補強することができる。
そして、この五山形状乃至撚り縄形状は、同時に演出装置７００の外観意匠としても発現できるもので、強度向上及び意匠の両方において機能している。
【０１０９】
更に、２本のボス５３２が、前記中間ケース状部材５３０の上部の長円乃至楕円突出部の内側から、即ち、開口５０１に近いところから、前述の山の頂部５３１近傍に配置された２本のボス５３２と同様に、突出されている。
前記ボス５３２、５３２、５３２、５３２は、ここでは、全て直径６ｍｍの円筒状のものであり、中間ケース状部材５３０、５３０の成型に際して同時に一体成型されるが、その端面にはネジ止め用のネジが切られている。
【０１１０】
更に、前記中間ケース状部材５３０、５３０は、そのベース部材開口部側縁部５３０Ａ,５３０Ａが、ベース部材５００の開口端面５０２、５０２を覆うように開口５０１の内側にまで入り込み、開口５０１の内周縁の一部を形成するように構成されている。
このように、開口５０１の内周縁の一部が、ベース部材５００でなく、中間ケース状部材５３０、５３０の一部であるベース部材開口部側縁部５３０Ａ,５３０Ａでもって形成されることで、ベース部材５００の開口端面５０２、５０２を覆い隠して前面枠１４の窓部１０１をスッキリとさせて、意匠観を向上させることができるのである。
【０１１１】
また、前記前面枠１４のベース部材５００の開口５０１の上下部を覆う上側及び下側ケース状部材５３４、５３５が設けられ、前記中間ケース状部材５３０の上下端部５３０Ｂ、５３０Ｃが、前記上側及び下側ケース状部材５３４、５３５に重なるようにしてベース部材５００に固定されている。この上側及び下側ケース状部材５３４、５３５についても、中間ケース状部材５３０と同様に、光透過性の合成樹脂成型により成型されている。このように、中間ケース状部材５３０、５３０を上側及び下側ケース状部材５３４、５３５の上に重ねる構成によって、この中間ケース状部材５３０、５３０を上側及び下側ケース状部材３４、５３５に連続させたものとし、前面枠１４全体としての意匠観を自在に設定することができる。
【０１１２】
そして、前記中間ケース状部材５３０、５３０の上下端部５３０Ｂ、５３０Ｃの一部が、前記上側及び下側ケース状部材５３４、５３５の上から重なるように構成されている。このように、中間ケース状部材５３０、５３０の上下端部５３０Ｂ、５３０Ｃの一部を、上側及び下側ケース状部材５３４、５３５の上に重ねるようにした構成によって、この中間ケース状部材５３０、５３０を単独で前方に着脱することができ、この中間ケース状部材５３０、５３０により覆われたベース部材５００の発光部５５０に対してメンテナンスを行い易いという利点がある。特に、細化された中間ケース状部材５３０、５３０の位置するベース部５００は、前面枠１４開閉等に際しての応力集中が生じて撓み易く、そこに設けた発光部５５０のトラブルが生じ易いので、こうしたメンテナンスの容易性は有利である。
【０１１３】
前記中間ケース状部材５３０、５３０の正面視で右側に位置する中間ケース状部材５３０の上端部５３０Ｂの前記上側ケース状部材５３４の上に重なる部分において、前記中間ケース状部材５３０から二本のボス５３６、５３７が延設され、該ボス５３６、５３７が、前記上側ケース状部材５３４を貫通して上側ケース状部材５３４のベース部材上側部５３５にまで延び、該ベース部材上側部５３５にネジ止めされている（図２０参照）。
【０１１４】
この右側の中間ケース状部材５３０の上端部５３０Ｂは、上述するように、山形でなく、上下に長い長円乃至楕円形状に前方に突出する突出部５３０Ｇを形成するように構成されており、前記二本のボス５３６、５３７は、この長円乃至楕円形状の外周部分近くから延設されているのである。
【０１１５】
このように、中間ケース状部材５３０を、そのボス５３６、５３７を介してベース部材右側部５００Ａに取り付ける際に、上側ケース状部材５３４を挟み込む状態で連結を行うことができて、三者の一体化を強力なものとすることができる。
更に、前記右側の中間ケース状部材５３０には、更に１本のボス５３８が、その上端部の外側のコーナーの内面に設けられており、これが、ベース部材５００のコーナー部に直接にネジ止めされている。
【０１１６】
また、図２１、図２２に示すように、左右の中間ケース状部材５３０、５３０は、後述の発光基板５５５，５５６の外側縁に接当して覆うその外側縁部５３０Ｅにおいて、上下の方向に沿って内側に僅かに段部５３０Ｆに形成された箇所を有し、その外面端部は、ベース部材５００の外側部に面一に成るように構成され、また、その内面端部は、上述したように、開口５０１を形成するベース部材５００の内側縁部を覆い隠すように延び、これが実際上開口５０１の一部を形成している。
【０１１７】
更に、前記左右の中間ケース状部材５３０、５３０は、略上半部分においては、山形でなく、上下に長い長円乃至楕円形状に前方に突出する突出部５３０Ｇを形成するように構成されており、また、正面視左側に位置する中間ケース状部材５３０の上端部には、枢支軸５４１を保持する軸受け部５４０が形成されている。この枢支軸５４１は、内枠１２の支持金具８１との枢支連結に用いられる。
【０１１８】
そして、前記左右の中間ケース状部材５３０、５３０の略上半部分が山形でなく、上下に長い長円乃至楕円形状に前方に突出する突出部５３０Ｇを形成するように構成されているが、図２２に示すように、その突出部５３０Ｇの内側壁は、前記長円乃至楕円形状の上方１/3程度のところから下方に至る前記山形の部分の途中まで切り欠いた切り欠き部５３９が形成されている。
【０１１９】
この切り欠き部５３９は、上述した上側ケース状部材５３４の上に重ねるように設置する際に、その上側ケース状部材５３４の立体構造にうまく合致させるために形成されたものであって、単なる切り欠き構造ではなく、遊技盤３０に垂直な合わせ面部５３９Ａが、ここでは、約５ｍｍの長さで、その切り欠き部５３９に沿って形成されている。
この合わせ面部５３９Ａが、上側ケース状部材５３４の立体構造に面として安定的に接当する役目を果たすと共に、この中間ケース状部材５３０のリブの役目も果たして、強度を増加させるものである。
【０１２０】
そして、正面視において、右側の発光部５５０Ｃは、左側の発光部５５０Ｂよりも上下に長く構成されており、その下端には、玉貸操作部１２０等に繋がる中継コネクタ５５７及びコードが接続され、その後に前面枠１４の裏面下方からコード及びコネクタが後方に延出されている。他方の発光部５５０Ｂは、上部の発光部５５０Ａに繋がり、スピーカなどの配線と共に前面枠１４の裏面上方からコード及びコネクタが延出されている。
【０１２１】
また、図２１にも示すように、前記左右の中間ケース状部材５３０、５３０は、その背面視で、上述した五山の内側（開口５０１側）においては、遊技機の横外側の平坦な直線状態とは異なり、前述した五山の位相ずらし形状の意匠によって、その波形或いは階段状を呈しているものであり、これによって、構造的な強度アップと意匠観とを具備するように工夫されているのである。
そして、この波型は、上方の長円乃至楕円形状に連続して行くのである。
【０１２２】
上述した実施例は、本発明の一実施例を示すものであって、本発明はかかる具体構造に限定されるものではなく、本発明の目的が達成されるところの均等な改変については、本発明に含まれることは言うまでもない。
【産業上の利用可能性】
【０１２３】
本発明は、内枠に設けた遊技盤の遊技領域に少なくとも表示装置が設けられ、該遊技領域を覆うように、前記内枠に対して、正面視で左側部を回動軸芯として開閉自在な前面枠が設けられ、該前面枠に前記遊技領域を視認する開口が設けられてある遊技機に適用できるもので、その実施の応用範囲は広いものである。
【図面の簡単な説明】
【０１２４】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の外枠に対して内枠、前面枠、セット板を夫々開いた状態を示す斜視図である。
【図５】本発明にかかる遊技機の一例であるパチンコ機の内枠の背面図である。
【図６】本発明にかかる遊技機の一例であるパチンコ機の内枠の背面から見た斜視図である。
【図７】本発明にかかる遊技機の一例であるパチンコ機の遊技盤の正面図である。
【図８】本発明にかかる遊技機の一例であるパチンコ機の前面枠の前面枠のベース部材から前面の演出装置を取り外した斜視図である。
【図９】本発明にかかる遊技機の一例であるパチンコ機のベース部材の背面から見た斜視図である。
【図１０】本発明にかかる遊技機の一例であるパチンコ機のベース部材の背面図である。
【図１１】本発明にかかる遊技機の一例であるパチンコ機のベース部材の正面図である。
【図１２】本発明にかかる遊技機の一例であるパチンコ機のベース部材の一組み立て分解斜視図である。
【図１３】本発明にかかる遊技機の一例であるパチンコ機のベース部材の一組み立て分解斜視図である。
【図１４】本発明にかかる遊技機の一例であるパチンコ機のベース部材の一組み立て分解斜視図である。
【図１５】本発明にかかる遊技機の一例であるパチンコ機の背面図である。
【図１６】本発明にかかる遊技機の一例であるパチンコ機のセット板を開いた背面からの斜視図である。
【図１７】本発明にかかる遊技機の一例であるパチンコ機の要部の拡大斜視図である。
【図１８】本発明にかかる遊技機の一例であるパチンコ機の外枠からセット板及び内枠一体状態で前面枠を開いた背面からの斜視図である。
【図１９】本発明にかかる遊技機の一例であるパチンコ機の制御基板取り付け状態を示す分解斜視図である。
【図２０】本発明にかかる遊技機の一例であるパチンコ機の前面枠から外された演出装置の分解斜視図である。
【図２１】本発明にかかる遊技機の一例であるパチンコ機の演出装置の要部の背面図である。
【図２２】本発明にかかる遊技機の一例であるパチンコ機の演出装置の要部の背面からの斜視図である。
【符号の説明】
【０１２５】
１２：内枠
１４：前面枠
３０：遊技盤
４２：表示装置
５００：ベース部材
５００Ａ:ベース部材左側部
５０１：開口
５３０：中間ケース状部材
５５０：発光部
【図１】
2007282802.tif 000003
【図２】
2007282802.tif 000004
【図３】
2007282802.tif 000005
【図４】
2007282802.tif 000006
【図５】
2007282802.tif 000007
【図６】
2007282802.tif 000008
【図７】
2007282802.tif 000009
【図８】
2007282802.tif 000010
【図９】
2007282802.tif 000011
【図１０】
2007282802.tif 000012
【図１１】
2007282802.tif 000013
【図１２】
2007282802.tif 000014
【図１３】
2007282802.tif 000015
【図１４】
2007282802.tif 000016
【図１５】
2007282802.tif 000017
【図１６】
2007282802.tif 000018
【図１７】
2007282802.tif 000019
【図１８】
2007282802.tif 000020
【図１９】
2007282802.tif 000021
【図２０】
2007282802.tif 000022
【図２１】
2007282802.tif 000023
【図２２】
2007282802.tif 000024